(57)【特許請求の範囲】
【請求項１】
伝送路を介して接続される伝送装置間で光信号を送受信する伝送システムにおいて、
前記伝送装置は、
前記伝送路に送信する光信号の品質を示す送信品質値を計測する送信側計測部と、
前記送信側計測部により計測された前記送信品質値を対向する前記伝送装置との間で送受信する装置間通信部と、
前記伝送路を介して受信する光信号を増幅する複数の受信アンプと、
前記複数の受信アンプの組み合わせを選択する切替部と、
前記伝送路を介して受信する光信号の品質を示す受信品質値を計測する受信側計測部と、
前記受信側計測部により計測された前記受信品質値と対向する前記伝送装置から受信する前記送信品質値とに基づいて伝送路損失を算出し、前記伝送路損失に応じて前記切替部を制御する制御部と
を有し、
前記制御部は、前記伝送路の前記伝送路損失が予め設定された閾値以上の状態から閾値未満の状態に変化した場合であっても、予め設定された回数の前記変化を検出した時または前記変化した状態が予め設定された時間だけ継続した時、の少なくとも１つの切替条件に合致しない場合は、前記切替部の制御を行わない
ことを特徴とする伝送システム。
【請求項２】
請求項１に記載の伝送システムにおいて、
前記複数の受信アンプは、第１の受信アンプと、第２の受信アンプとを有し、
前記切替部は、前記第１の受信アンプが増幅する前の第１の光信号または前記第１の受信アンプが増幅した後の第２の光信号を選択し、
前記第１の受信アンプは、前記伝送路を介して受信する前記第１の光信号を増幅し、
前記第２の受信アンプは、前記切替部により選択された前記第１の光信号または前記第２の光信号を増幅する
ことを特徴とする伝送システム。
【請求項３】
請求項２に記載の伝送システムにおいて、
前記制御部は、
前記伝送路の前記伝送路損失が予め設定された閾値未満の場合に、前記切替部により前記第１の光信号を選択して前記第２の受信アンプに出力し、
前記伝送路の前記伝送路損失が予め設定された閾値以上の場合に、前記切替部により前記第２の光信号を選択して前記第２の受信アンプに出力する
ことを特徴とする伝送システム。
【請求項４】
請求項３に記載の伝送システムにおいて、
前記制御部は、前記切替条件に合致しない場合は、前記切替部により前記第２の光信号を選択して前記第２の受信アンプに出力し、少なくとも１つの前記切替条件に合致する場合は、前記切替部により前記第１の光信号を選択して前記第２の受信アンプに出力する
ことを特徴とする伝送システム。
【請求項５】
伝送路に送信する光信号の品質を示す送信品質値を計測する送信側計測部と、
前記送信側計測部により計測された前記送信品質値を対向する伝送装置との間で送受信する装置間通信部と、
前記伝送路を介して受信する光信号を増幅する複数の受信アンプと、
前記複数の受信アンプの組み合わせを選択する切替部と、
前記伝送路を介して受信する光信号の品質を示す受信品質値を計測する受信側計測部と、
前記受信側計測部により計測された前記受信品質値と対向する前記伝送装置から受信する前記送信品質値とに基づいて伝送路損失を算出し、前記伝送路損失に応じて前記切替部を制御する制御部と
を有し、
前記制御部は、前記伝送路の前記伝送路損失が予め設定された閾値以上の状態から閾値未満の状態に変化した場合であっても、予め設定された回数の前記変化を検出した時または前記変化した状態が予め設定された時間だけ継続した時、の少なくとも１つの切替条件に合致しない場合は、前記切替部の制御を行わない
ことを特徴とする伝送装置。
【請求項６】
請求項５に記載の伝送装置において、
前記複数の受信アンプは、第１の受信アンプと、第２の受信アンプとを有し、
前記切替部は、前記第１の受信アンプが増幅する前の第１の光信号または前記第１の受信アンプが増幅した後の第２の光信号を選択し、
前記第１の受信アンプは、前記伝送路を介して受信する前記第１の光信号を増幅し、
前記第２の受信アンプは、前記切替部により選択された前記第１の光信号または前記第２の光信号を増幅する
ことを特徴とする伝送装置。
【請求項７】
請求項６に記載の伝送装置において、
前記制御部は、
前記伝送路の前記伝送路損失が予め設定された閾値未満の場合に、前記切替部により前記第１の光信号を選択して前記第２の受信アンプに出力し、
前記伝送路の前記伝送路損失が予め設定された閾値以上の場合に、前記切替部により前記第２の光信号を選択して前記第２の受信アンプに出力する
ことを特徴とする伝送装置。
【請求項８】
請求項７に記載の伝送装置において、
前記制御部は、前記切替条件に合致しない場合は、前記切替部により前記第２の光信号を選択して前記第２の受信アンプに出力し、少なくとも１つの前記切替条件に合致する場合は、前記切替部により前記第１の光信号を選択して前記第２の受信アンプに出力する
ことを特徴とする伝送装置。
【請求項９】
伝送路を介して接続される伝送装置間で光信号を送受信する伝送システムで用いる受信レベル調整方法において、
送信側の前記伝送装置は、前記伝送路に送信する光信号の品質を示す送信品質値を計測して、前記送信品質値を受信側の前記伝送装置に送信し、
受信側の前記伝送装置は、送信側の前記伝送装置から受信する光信号の品質を示す受信品質値を計測して、前記受信品質値と送信側の前記伝送装置から受信した前記送信品質値とに基づいて伝送路損失を算出し、前記伝送路損失が予め設定された閾値以上の状態から閾値未満の状態に変化した場合であっても、予め設定された回数の前記変化を検出した時または前記変化した状態が予め設定された時間だけ継続した時、の少なくとも１つの切替条件に合致しない場合に、前記伝送路を介して受信する光信号を増幅する複数の受信アンプの組み合わせを切り替える制御を行わない
ことを特徴とする受信レベル調整方法。
【請求項１０】
請求項９に記載の受信レベル調整方法において、
前記複数の受信アンプは、第１の受信アンプと、第２の受信アンプとを有し、
受信側の前記伝送装置は、前記伝送路を介して受信する光信号を増幅する第１の受信アンプが増幅前の第１の光信号または前記第１の受信アンプが増幅後の第２の光信号を前記伝送路損失に応じて選択し、選択された前記第１の光信号または前記第２の光信号を第２の受信アンプで増幅する
ことを特徴とする受信レベル調整方法。
【請求項１１】
請求項１０に記載の受信レベル調整方法において、
前記伝送路の前記伝送路損失が予め設定された閾値未満の場合に、前記第１の光信号を選択して前記第２の受信アンプに出力し、前記伝送路の前記伝送路損失が予め設定された閾値以上の場合に、前記第２の光信号を選択して前記第２の受信アンプに出力する
ことを特徴とする受信レベル調整方法。
【請求項１２】
請求項１１に記載の受信レベル調整方法において、
前記切替条件に合致しない場合は、前記第２の光信号を選択して前記第２の受信アンプに出力し、少なくとも１つの前記切替条件に合致する場合は、前記第１の光信号を選択して前記第２の受信アンプに出力する
ことを特徴とする受信レベル調整方法。
【発明の詳細な説明】
【技術分野】
【０００１】
本発明は、伝送システム、伝送装置、および受信レベル調整方法に関する。
【背景技術】
【０００２】
一般に、光信号を用いた伝送システムでは、伝送路を介して送信側の伝送装置と受信側の伝送装置とが接続されており、伝送路の距離や状態に応じて光信号の受信レベルが変動する。そこで、受信側の伝送装置が受信する光信号のレベルが適正になるように、送信側の伝送装置がレベル調整を行っている（例えば、特許文献１参照）。
【先行技術文献】
【特許文献】
【０００３】
【特許文献１】特開２０１２−０３９２８７号公報
【発明の概要】
【発明が解決しようとする課題】
【０００４】
ところが、受信側の伝送装置が伝送路の距離や状態に依らず受信する光信号を同じ受信アンプで増幅する場合、例えば伝送路が短距離でも長距離用の受信アンプが用いられる。一般に、長距離用の受信アンプは短距離用の受信アンプに比べて光信号の劣化が大きいので、受信アンプで増幅後の光信号のノイズ成分の割合が多くなるという問題が生じる。一方、通信事業者が伝送装置の設置前に伝送路の距離や状態を確認して、受信側の伝送装置に搭載する受信アンプを伝送装置の設置場所に応じて変更する場合、システム運用上の様々な問題が生じる。例えば、通信事業者は、設置場所に応じた伝送装置の手配や保守用の部品点数の増加など管理の手間やコストが掛かるので、伝送装置毎に種類が異なる受信アンプの搭載を望まない。
【０００５】
本件開示の伝送システム、伝送装置、および受信レベル調整方法は、伝送路の距離や状態に適した受信アンプを使用する技術を提供することを目的とする。
【課題を解決するための手段】
【０００６】
一つの観点によれば、伝送システムは、伝送路を介して接続される伝送装置間で光信号を送受信する伝送システムにおいて、伝送装置は、伝送路に送信する光信号の品質を示す送信品質値を計測する送信側計測部と、送信側計測部により計測された送信品質値を対向する伝送装置との間で送受信する装置間通信部と、伝送路を介して受信する光信号を増幅する複数の受信アンプと、複数の受信アンプの組み合わせを選択する切替部と、伝送路を介して受信する光信号の品質を示す受信品質値を計測する受信側計測部と、受信側計測部により計測された受信品質値と対向する伝送装置から受信する送信品質値とに基づいて伝送路損失を算出し、伝送路損失に応じて切替部を制御する制御部とを有し、制御部は、伝送路の伝送路損失が予め設定された閾値以上の状態から閾値未満の状態に変化した場合であっても、予め設定された回数の前記変化を検出した時または変化した状態が予め設定された時間だけ継続した時、の少なくとも１つの切替条件に合致しない場合は、切替部の制御を行わないことを特徴とする。
【０００７】
一つの観点によれば、伝送装置は、伝送路に送信する光信号の品質を示す送信品質値を計測する送信側計測部と、送信側計測部により計測された送信品質値を対向する伝送装置との間で送受信する装置間通信部と、伝送路を介して受信する光信号を増幅する複数の受信アンプと、複数の受信アンプの組み合わせを選択する切替部と、伝送路を介して受信する光信号の品質を示す受信品質値を計測する受信側計測部と、受信側計測部により計測された受信品質値と対向する伝送装置から受信する送信品質値とに基づいて伝送路損失を算出し、伝送路損失に応じて切替部を制御する制御部とを有し、制御部は、伝送路の伝送路損失が予め設定された閾値以上の状態から閾値未満の状態に変化した場合であっても、予め設定された回数の前記変化を検出した時または変化した状態が予め設定された時間だけ継続した時、の少なくとも１つの切替条件に合致しない場合は、切替部の制御を行わないことを特徴とする。
【０００８】
一つの観点によれば、受信レベル調整方法は、伝送路を介して接続される伝送装置間で光信号を送受信する伝送システムで用いる受信レベル調整方法において、送信側の伝送装置は、伝送路に送信する光信号の品質を示す送信品質値を計測して、送信品質値を受信側の伝送装置に送信し、受信側の伝送装置は、送信側の伝送装置から受信する光信号の品質を示す受信品質値を計測して、受信品質値と送信側の伝送装置から受信した送信品質値とに基づいて伝送路損失を算出し、伝送路損失が予め設定された閾値以上の状態から閾値未満の状態に変化した場合であっても、予め設定された回数の変化を検出した時または変化した状態が予め設定された時間だけ継続した時、の少なくとも１つの切替条件に合致しない場合に、伝送路を介して受信する光信号を増幅する複数の受信アンプの組み合わせを切り替える制御を行わないことを特徴とする。
【発明の効果】
【０００９】
本件開示の伝送システム、伝送装置、および受信レベル調整方法は、伝送路の距離や状態に適した受信アンプを使用することができる。
【図面の簡単な説明】
【００１０】
【図１】伝送システムの一例を示す図である。
【図２】伝送装置の一例を示す図である。
【図３】アンプユニットおよび制御装置ユニットの一例を示す図である。
【図４】アンプユニットの他の例を示す図である。
【図５】ＰＭ値を送受信する例を示す図である。
【図６】装置間通信ユニットの一例を示す図である。
【図７】アンプ切り替え処理の一例を示すフローチャートである。
【図８】アンプ切り替え処理の他の例を示すフローチャートである。
【発明を実施するための形態】
【００１１】
以下、図面を用いて実施形態を説明する。
【００１２】
図１は、伝送システム１００の一例を示す。図１において、伝送システム１００は、例えば、ＷＤＭ（Wavelength Division Multiplexing：波長分割多重）システムに対応し、伝送装置１０１（ａ）と伝送装置１０１（ｂ）とが伝送路１０２を介して接続されている。そして、伝送装置１０１（ａ）および伝送装置１０１（ｂ）は、複数のユーザ側の回線や伝送装置に接続される。尚、ユーザ側の回線や伝送装置は、例えばＳＯＮＥＴ／ＳＤＨ（Synchronous Optical Network/Synchronous Digital Hierarchy）に対応する。
【００１３】
ここで、伝送装置１０１（ａ）および伝送装置１０１（ｂ）は、同一又は同様の機能を有する装置である。以降の説明において、伝送装置１０１（ａ）または伝送装置１０１（ｂ）のうち特定の装置を指す場合は、符号に（アルファベット）を付加して、例えば伝送装置１０１（ａ）のように表記する。また、伝送装置１０１（ａ）または伝送装置１０１（ｂ）に共通する内容を説明する場合は、（アルファベット）を省略して伝送装置１０１と表記する。
【００１４】
図１において、伝送装置１０１（ａ）は、ユーザ側の回線や伝送装置から入力する光信号を波長分割多重して伝送路１０２を介して伝送装置１０１（ｂ）に送信する。逆に、伝送路１０２を介して伝送装置１０１（ｂ）から受信する波長分割多重された光信号を分離してユーザ側の回線や伝送路に出力する。同様に、伝送装置１０１（ｂ）は、ユーザ側の回線や伝送装置から入力する光信号を波長分割多重して伝送路１０２を介して伝送装置１０１（ａ）に送信する。逆に、伝送路１０２を介して伝送装置１０１（ａ）から受信する波長分割多重された光信号を分離してユーザ側の回線や伝送路に出力する。
【００１５】
このように、本実施形態に係る伝送システム１００では、対向して配置された伝送装置１０１（ａ）と伝送装置１０１（ｂ）が伝送路１０２を介して光信号を送受信する。
【００１６】
図１において、伝送路１０２の距離や状態は、伝送装置１０１が設置される場所に応じて異なる。ここで、伝送路１０２の状態は、例えば、敷設されている光ファイバの種類、中継装置の有無、光ファイバの接続状態など様々な要因によって変化し、光信号の伝送路損失、ノイズ、歪などに影響を与える。特に、中継装置は、光信号を電気信号に変換せずに光信号をそのまま増幅するので、光信号が劣化し易いという問題がある。
【００１７】
例えば、伝送装置１０１（ｂ）から伝送装置１０１（ａ）に光信号を送信する場合、通信事業者は、受信側の伝送装置１０１（ａ）を設置する時に伝送路の距離や状態を確認する。そして、通信事業者は、伝送路の距離や状態に適した受信アンプが搭載された伝送装置１０１（ａ）を設置する。ところが、通信事業者は、設置場所に応じた性能の受信アンプが搭載された伝送装置１０１（ａ）の手配や複数の種類の受信アンプを保守用の部品として管理することが求められ、管理の手間やコストが掛かるという問題がある。
【００１８】
そこで、以降で説明する本実施形態に係る伝送システム１００は、伝送路１０２の距離や状態に依らず、同じ伝送装置１０１を用いる。これにより、通信事業者は、管理の手間やコストが掛からず、且つ、伝送路１０２の距離や状態に適した受信アンプを使用することができる。
［伝送装置１０１］
図２は、伝送装置１０１（ａ）の一例を示す。尚、図１に示した伝送装置１０１（ｂ）は、伝送装置１０１（ａ）と同一又は同様なので、ここでは、伝送装置１０１（ａ）について説明する。また、図２において、図１と同符号のブロックは、図１と同一又は同様の機能を有するブロックである。
【００１９】
図２において、伝送装置１０１（ａ）は、アンプユニット２０１と、装置間通信ユニット２０２と、ＤＭＵＸ／ＭＵＸ（De-MUltipleXer/MUltipleXer）２０３と、送受信部２０４と、装置制御ユニット２０５とを有する。尚、アンプユニット２０１には、分散補償ファイバ（ＤＣＦ：Dispersion Compensating Fiber）２０６が接続されている。
【００２０】
アンプユニット２０１は、後述するＤＭＵＸ／ＭＵＸ２０３から入力するユーザデータを含む光信号を増幅して伝送路１０２に送信する。また、アンプユニット２０１は、伝送路１０２から受信する光信号を増幅すると共に、後述する分散補償ファイバ２０６を通した光信号をＤＭＵＸ／ＭＵＸ２０３に出力する。
【００２１】
装置間通信ユニット２０２は、伝送装置１０１間で予め決められた波長の光信号（ＯＳＣ（Optical Supervisory Channel）信号）を送受信する。尚、ＯＳＣ信号は、伝送装置１０１の制御や監視に使用される制御データを送受信するための光信号である。また、装置間通信ユニット２０２は、伝送装置１０１の起動時に、対向する伝送装置１０１との間で制御データを送受信して通信を確立する処理を行う。そして、伝送装置１０１は、対向する伝送装置１０１との間で制御データの通信が確立された後、ユーザデータの送受信を開始する。
【００２２】
ＤＭＵＸ／ＭＵＸ２０３は、アンプユニット２０１から入力する波長分割多重された光信号を波長毎に分解して送受信部２０４に出力し、送受信部２０４から入力する波長が異なる複数の光信号を多重してアンプユニット２０１に出力する。
【００２３】
送受信部２０４は、ユーザ側の回線や伝送装置に接続される送受信器２１４（ａ）、送受信器２１４（ｂ）および送受信器２１４（ｃ）を有する。送受信器２１４（ａ）、送受信器２１４（ｂ）および送受信器２１４（ｃ）は、ユーザ側の回線や伝送装置から入力する光信号を受信する回路を有し、ＤＭＵＸ／ＭＵＸ２０３に出力する。逆に、送受信器２１４（ａ）、送受信器２１４（ｂ）および送受信器２１４（ｃ）は、ＤＭＵＸ／ＭＵＸ２０３から入力する光信号をユーザ側の回線や伝送装置に送信する回路を有する。
【００２４】
装置制御ユニット２０５は、伝送装置１０１（ａ）全体の動作を制御する。本実施形態に係る伝送システム１００では、装置制御ユニット２０５は、アンプユニット２０１と装置間通信ユニット２０２とを制御し、伝送路１０２の距離や状態に応じた受信アンプ（後述する）を使用する。
【００２５】
分散補償ファイバ２０６は、伝送路１０２で生じた波長分散を補償するための光ファイバである。
【００２６】
このように、伝送装置１０１（ａ）は、伝送路１０２を介して接続される伝送装置１０１（ｂ）との間で、光信号を送受信する。尚、伝送装置１０１（ｂ）は、伝送装置１０１（ａ）と同様に動作する。
【００２７】
ここで、図２の例では、伝送装置１０１（ａ）は、ＤＭＵＸ／ＭＵＸ２０３と送受信部２０４とにより、ユーザ側の回線や伝送装置を接続するようにしたが、他の用途に用いてもよい。例えば、伝送装置１０１（ａ）が中継装置である場合、伝送装置１０１（ａ）は、伝送装置１０１（ｂ）との間で送受信する光信号を、再び、別の伝送路との間で送受信する。この場合、中継装置は、アンプユニット２０１と同一又は同様の回路のアンプユニット２０１を介して中継先の伝送装置１０１に接続される。或いは、伝送装置１０１（ａ）は、ＡＤＭ（add-drop multiplexer）ユニットを搭載してもよい。この場合、ＡＤＭユニットは、自装置に接続されるユーザ側の伝送装置宛の光信号を分離して取り出したり、ユーザ側の伝送装置から送信される光信号を多重する。尚、いずれの場合であっても、本実施形態に係る伝送装置１０１は、伝送路１０２の距離や状態に応じて、受信する光信号に適した受信アンプを使用できる。
［アンプユニット２０１］
図３は、アンプユニット２０１および装置制御ユニット２０５の一例を示す。尚、図３において、図２と同符号のブロックは、図２と同一又は同様の機能を有するブロックである。
【００２８】
図３において、アンプユニット２０１は、送信側の回路として、送信アンプ（PostAMP:Post AMPlifier）３０１と、カプラ（CPL）３０２と、ＰＭ（Performance Monitor）計測部３０３とを有する。また、アンプユニット２０１は、受信側の回路として、ＰＭ（Performance Monitor）計測部３０４と、カプラ（CPL）３０５と、第１の受信アンプ（PreAMP1:Pre AMPlifier1）３０７と、第２の受信アンプ（PreAMP2:Pre AMPlifier2）３０９とを有する。さらに、アンプユニット２０１は、第１の受信アンプ３０７を使用するか否かを選択するための光スイッチ（光SW:SWitch）３０６および光スイッチ（光SW:SWitch）３０８を有する。
【００２９】
送信アンプ３０１は、ＤＭＵＸ／ＭＵＸ２０３から入力する波長分割多重された光信号を増幅してカプラ３０２に出力する。
【００３０】
カプラ３０２は、送信アンプ３０１から入力するユーザデータを含む光信号と、装置間通信ユニット２０２から入力する制御データを含む光信号とを合成して、後述するＰＭ計測部３０３に出力する。尚、ユーザデータを含む光信号と制御データを含む光信号は、波長が異なる。
【００３１】
ＰＭ計測部３０３は、カプラ３０２から入力する光信号の状態を計測し、装置制御ユニット２０５に出力する。尚、光信号の状態は、例えば送信する光信号のレベルである。ここで、以降の説明において、ＰＭ計測部３０３の計測値は、送信側の伝送装置１０１のＰＭ値としてＰＭｔと表記する。ここで、ＰＭ値は、光信号のレベルをそのまま用いてもよいが、光信号のレベルと相関がある値であればよい。例えば、光信号のオンオフを判別するためのスライスレベルの値（ＳＬＶ（Slice LeVel）値）を用いてもよい。伝送装置１０１において、ＳＬＶ値は、光信号のレベルの応じて自動的（例えば光信号のレベルの５０％の値など）に設定される。従って、ＳＬＶ値は、光信号のレベルが大きい場合は大きくなり、光信号のレベルが小さい場合は小さくなる。
【００３２】
ＰＭ計測部３０４は、伝送路１０２から受信する光信号の状態を計測し、装置制御ユニット２０５に出力する。尚、光信号の状態は、ＰＭ計測部３０３と同様に、例えば受信する信号のレベルである。ここで、以降の説明において、ＰＭ計測部３０４の計測値は、受信側の伝送装置１０１のＰＭ値としてＰＭｒと表記する。また、ＰＭ計測部３０４は、伝送路１０２から受信する光信号を検出できない場合、信号断であることを装置制御ユニット２０５に通知する。
【００３３】
カプラ３０５は、ＰＭ計測部３０４を介して伝送路１０２から受信する光信号を後述する光スイッチ３０６と装置間通信ユニット２０２とに分岐する。尚、カプラ３０５が分岐する光信号は、ユーザデータを含む光信号と制御データを含む光信号とを有するが、装置間通信ユニット２０２は制御データを含む光信号を使用し、ＤＭＵＸ／ＭＵＸ２０３はユーザデータを含む光信号を使用する。
【００３４】
光スイッチ３０６は、例えば導波路型光スイッチなどが用いられ、装置制御ユニット２０５が出力する切替信号により、カプラ３０５から入力する光信号を第１の受信アンプ３０７または光スイッチ３０８に出力する。
【００３５】
第１の受信アンプ３０７は、伝送路１０２による減衰が大きい場合に使用される長距離用のアンプである。ここで、一般的な光アンプは、光信号の増幅により自然放出される雑音（ＡＳＥ（Amplified Spontaneous Emission）ノイズ）が加算される。このため、本実施形態に係る伝送システム１００は、第２の受信アンプ３０９のみで運用可能な場合、第１の受信アンプ３０７を使用しないように制御する。これにより、本実施形態に係る伝送システム１００は、受信側の伝送装置１０１におけるＡＳＥノイズを低減できる。
【００３６】
光スイッチ３０８は、光スイッチ３０６と同様に、導波路型光スイッチなどが用いられる。そして、光スイッチ３０８は、装置制御ユニット２０５が出力する切替信号により、光スイッチ３０６または第１の受信アンプ３０７のいずれかを選択して光信号を入力し、分散補償ファイバ２０６を介して第２の受信アンプ３０９に出力する。
【００３７】
第２の受信アンプ３０９は、伝送路１０２の距離や状態に依らず、常時、使用されるアンプで、分散補償ファイバ２０６から入力する光信号を増幅してＤＭＵＸ／ＭＵＸ２０３に出力する。
【００３８】
このようにして、アンプユニット２０１は、自装置から送信する光信号のＰＭ値（ＰＭｔ）を計測すると共に、対向する伝送装置１０１から受信する光信号のＰＭ値（ＰＭｒ）を計測する。そして、アンプユニット２０１が計測したＰＭ値（ＰＭｔ）およびＰＭ値（ＰＭｒ）は、装置制御ユニット２０５に出力される。装置制御ユニット２０５は、アンプユニット２０１が計測した送信側のＰＭ値（ＰＭｔ）および受信側のＰＭ値（ＰＭｒ）に基づいて、アンプユニット２０１の光スイッチ３０６および光スイッチ３０８を制御する。
【００３９】
ここで、図３では、ＰＭ計測部３０３はカプラ３０２と伝送路１０２の間に、ＰＭ計測部３０４は伝送路１０２とカプラ３０５の間に、それぞれ配置されていたが、送信および受信する光信号のレベルを計測できる位置であれば他の位置でもよい。
【００４０】
図４は、アンプユニット２０１の他の例を示す。図４にアンプユニット２０１’において、ＰＭ計測部３０３’は装置間通信ユニット２０２とカプラ３０２の間に、ＰＭ計測部３０４’はカプラ３０５と装置間通信ユニット２０２の間に、それぞれ配置されている。この場合、ＰＭ計測部３０３’は、送信アンプ３０１から出力されるユーザデータを含む光信号のＰＭ値を計測するのではなく、装置間通信ユニット２０２が出力する制御データを含む光信号のＰＭ値を計測する。一方、ＰＭ計測部３０４’は、カプラ３０５から分岐される制御データを含む光信号とユーザデータを含む光信号のＰＭ値を計測する。尚、対向する伝送装置１０１との間で装置間の通信を確立する時、伝送装置１０１は、制御データのみを送受信するので、ＰＭ計測部３０３’およびＰＭ計測部３０４’を図４に示したように配置しても問題はない。この場合、ＰＭ計測部３０４’が計測するＰＭ値は、伝送路１０２の損失以外に、送信側のカプラ３０２と受信側のカプラ３０５の損失が含まれるので、ＡＭＰ判別部４０２は、カプラ３０２，３０５での損失を考慮して伝送路損失を求める。例えば、カプラ３０２およびカプラ３０５の損失がそれぞれ３ｄＢの場合、ＡＭＰ判別部４０２は、ＰＭ値（ＰＭｔ）とＰＭ値（ＰＭｒ）との差分から６ｄＢを減算した値を伝送路損失とする。さらに、対向する伝送装置１０１との間で制御データによる通信を確立後、ユーザデータを含む光信号を送受信している場合、ＰＭ計測部３０４’は、制御データを含む光信号とユーザデータを含む光信号の合成波のＰＭ値を計測する。一方、ＰＭ計測部３０３’は、制御データを含む光信号の計測は可能だが、ユーザデータを含む光信号の計測は難しいので、同じ条件で伝送路損失を求めることは難しい。そこで、例えばＰＭ計測部３０４’に波長フィルタの機能を設けて、対向する伝送装置１０１の装置間通信ユニット２０２から送信される制御データを含む光信号のＰＭ値を計測するようにしてもよい。これにより、伝送装置１０１は、制御データを含む光信号によって伝送路損失を求めることができる。
【００４１】
或いは、送信側のＰＭ値（ＰＭｔ）を図３に示したＰＭ計測部３０３の位置で計測し、受信側のＰＭ値（ＰＭｒ）を図４に示したＰＭ計測部３０４’の位置で計測するようにしてもよい。これにより、伝送装置１０１は、ユーザデータを含む光信号と制御データを含む光信号との同じ条件で差分を求めることができる。この場合、受信側の伝送装置１０１は、光信号の受信経路に挿入されるブロックを少なくすることができ、受信する光信号の品質低下を防止できる。
［装置制御ユニット２０５］
図３において、装置制御ユニット２０５は、ＰＭ値取得部４０１と、ＡＭＰ（AMPlifier）判別部４０２と、ＳＷ（SWitch）制御部４０３とを有する。尚、装置制御ユニット２０５は、上記以外にも、伝送装置１０１全体を制御するための制御部やパラメータや計測値などを記憶するためのメモリを有する。
【００４２】
ＰＭ値取得部４０１は、アンプユニット２０１のＰＭ計測部３０３から送信側のＰＭ値（ＰＭｔ）を取得する。そして、ＰＭ値取得部４０１は、自装置のＰＭ値（ＰＭｔ）を装置間通信ユニット２０２に出力する。装置間通信ユニット２０２は、装置制御ユニット２０５から入力するＰＭ値（ＰＭｔ）を制御データとする光信号を生成して、カプラ３０２およびＰＭ計測部３０３を介して伝送路１０２に出力する。
【００４３】
ＡＭＰ判別部４０２は、対向する送信側の伝送装置１０１で計測されたＰＭ値（ＰＭｔ）を装置間通信ユニット２０２から入力する。また、ＡＭＰ判別部４０２は、受信側のＰＭ値（ＰＭｒ）をアンプユニット２０１のＰＭ計測部３０４から入力する。そして、ＡＭＰ判別部４０２は、対向する伝送装置１０１の送信側のＰＭ値（ＰＭｔ）と自装置の受信側のＰＭ値（ＰＭｒ）との差分を求める。ここで、送信側のＰＭ値（ＰＭｔ）と受信側のＰＭ値（ＰＭｒ）との差分は、伝送路１０２における損失（伝送路損失と称する）に相当する。尚、厳密には、送信側の伝送装置１０１で通信している光信号に当該光信号で計測したＰＭ値（ＰＭｔ）を載せることは難しい。このため、受信側の伝送装置１０１が比較するＰＭ値（ＰＭｔ）とＰＭ値（ＰＭｒ）は、同じ光信号に対応する計測値ではない。例えば、制御データを送信中に計測したＰＭ値（ＰＭｔ）は、次の制御データを送信する時に対向する伝送装置１０１に送信される。尚、伝送路１０２の状態が短時間で大きく変わることは少ないので、対向する送信側の伝送装置１０１のＰＭ値（ＰＭｔ）と受信側の伝送装置１０１のＰＭ値（ＰＭｒ）との計測の時間差は無視して差分を求めても問題はない。
【００４４】
そして、ＡＭＰ判別部４０２は、送信側の伝送装置１０１のＰＭ値（ＰＭｔ）と受信側の伝送装置１０１のＰＭ値（ＰＭｒ）との差分が予め設定された閾値以上であるか否かを判定する。差分が閾値未満の場合（伝送路損失が小さい場合）、ＡＭＰ判別部４０２は、アンプユニット２０１の光スイッチ３０６および光スイッチ３０８をａ側に切り替えるように、ＳＷ制御部４０３に指令する。これにより、伝送路１０２が短距離で伝送路損失が小さい場合には、伝送装置１０１は、第１の受信アンプ３０７を通さずに、第２の受信アンプ３０９で受信する光信号を増幅する。逆に、差分が閾値以上の場合（伝送路損失が大きい場合）、ＡＭＰ判別部４０２は、アンプユニット２０１の光スイッチ３０６および光スイッチ３０８をｂ側に切り替えるように、ＳＷ制御部４０３に指令する。これにより、伝送路１０２が長距離で伝送路損失が大きい場合には、伝送装置１０１は、第１の受信アンプ３０７を通して、第１の受信アンプ３０７と第２の受信アンプ３０９との２段階で受信する光信号を増幅する。
【００４５】
ＳＷ制御部４０３は、ＡＭＰ判別部４０２が出力する指令に基づいて、光スイッチ３０６および光スイッチ３０８に切替信号を出力し、光スイッチ３０６および光スイッチ３０８をａ側またはｂ側に切り替える。ここで、光スイッチ３０６および光スイッチ３０８は、連動して動作し、光スイッチ３０６がａ側に切り替えられる場合は光スイッチ３０８もａ側に切り替えられ、光スイッチ３０６がｂ側に切り替えられる場合は光スイッチ３０８もｂ側に切り替えられる。
【００４６】
このように、本実施形態に係る伝送装置１０１は、自装置から送信する光信号のＰＭ値（ＰＭｔ）を対向する受信側の伝送装置１０１に送信する。一方、受信側の伝送装置１０１は、対向する送信側の伝送装置１０１から受信する光信号のＰＭ値（ＰＭｒ）を計測すると共に、送信側の伝送装置１０１からＰＭ値（ＰＭｔ）を受信する。そして、受信側の伝送装置１０１の装置制御ユニット２０５は、送信側の伝送装置１０１から受信するＰＭ値（ＰＭｔ）と受信側で計測したＰＭ値（ＰＭｒ）とに基づいて、アンプユニット２０１の光スイッチ３０６および光スイッチ３０８を制御する。尚、各スイッチの制御方法は、後で詳しく説明する。
【００４７】
図５は、ＰＭ値を送受信する例を示す。尚、図５において、図１，図２および図３と同符号のブロックは、図１，図２および図３と同一又は同様の機能を有する。
【００４８】
図５において、送信側の伝送装置１０１（ｂ）のＰＭ計測部３０３で計測したＰＭ値（ＰＭｔ）は、装置制御ユニット２０５のＰＭ値取得部４０１から装置間通信ユニット２０２に出力される。そして、送信側の伝送装置１０１（ｂ）の装置間通信ユニット２０２は、ＰＭ値（ＰＭｔ）を光信号に変換してカプラ３０２およびＰＭ計測部３０３を介して伝送路１０２に出力する。一方、受信側の伝送装置１０１（ａ）のＰＭ計測部３０４は、伝送路１０２から受信する光信号のＰＭ値（ＰＭｒ）を計測し、装置制御ユニット２０５のＡＭＰ判別部４０２に出力する。さらに、伝送路１０２から受信する光信号は、ＰＭ計測部３０４からカプラ３０５に入力され、光スイッチ３０６と装置間通信ユニット２０２とに分岐される。伝送装置１０１（ａ）の装置間通信ユニット２０２は、カプラ３０５から分岐された光信号に含まれる制御データから対向する伝送装置１０１（ｂ）のＰＭ値（ＰＭｔ）を抽出して装置制御ユニット２０５のＡＭＰ判別部４０２に出力する。そして、伝送装置１０１（ａ）のＡＭＰ判別部４０２は、伝送装置１０１（ｂ）のＰＭ値（ＰＭｔ）と自装置で計測したＰＭ値（ＰＭｒ）との差分が予め設定された閾値以上であるか否かを判定する。装置制御ユニット２０５は、判定結果に応じて、ＳＷ制御部４０３に光スイッチ３０６および光スイッチ３０８の切り替えを指令する。このようにして、装置制御ユニット２０５は、第１の受信アンプ３０７を分散補償ファイバ２０６および第２の受信アンプ３０９の前段に挿入して、受信する光信号の増幅を行うか否かを選択する。例えば、閾値が２０ｄＢ、差分が２６ｄＢの場合（長距離の場合）、光スイッチ３０６および光スイッチ３０８はｂ側に切り替えられ、第１の受信アンプ３０７により光信号が増幅される。逆に、差分が１８ｄＢの場合（短距離の場合）、光スイッチ３０６および光スイッチ３０８はａ側に切り替えられ、第１の受信アンプ３０７による光信号の増幅を行わず、カプラ３０５から出力される光信号は、分散補償ファイバ２０６に入力される。
【００４９】
このようにして、本実施形態に係る伝送システム１００は、設置場所に応じて搭載する受信アンプを変更することなく、且つ、同じ伝送装置１０１で伝送路１０２の距離や状態に適した受信アンプを使用することができる。これにより、本実施形態に係る伝送システム１００は、受信する光信号の品質劣化を防止することができる。尚、図５では、伝送装置１０１（ｂ）が伝送装置１０１（ａ）にＰＭ値（ＰＭｔ）を送信して、伝送装置１０１（ａ）が自装置の光スイッチ３０６および光スイッチ３０８を切り替えて受信アンプを選択する例を示した。同様に、伝送装置１０１（ａ）が伝送装置１０１（ｂ）にＰＭ値（ＰＭｔ）を送信して、伝送装置１０１（ｂ）が自装置の光スイッチ３０６および光スイッチ３０８を切り替えて受信アンプを選択する。
【００５０】
また、上記の例では、伝送装置１０１は、受信アンプとして、第１の受信アンプ３０７と第２の受信アンプ３０９の２つのアンプを搭載したが、複数のアンプの組み合わせを切り替えるようにしてもよい。例えば、伝送装置１０１に３つの受信アンプを搭載して、受信側の伝送装置１０１は、１段のアンプ、２段のアンプおよび３段のアンプ、のように、伝送路１０２の伝送路損失に応じて受信アンプの段数を切り替えてもよい。
【００５１】
さらに、光スイッチ３０６のａ側と光スイッチ３０８のａ側との間に、第１の受信アンプ３０７とは特性が異なる第３の受信アンプを配置してもよい。
【００５２】
或いは、第２の受信アンプ３０９の前後に光スイッチを配置して、第２の受信アンプ３０９を使用するか否かを装置制御ユニット２０５が制御してもよい。
【００５３】
また、上記の例では、光信号の減衰が少なくなるように、光スイッチ３０６を第１の受信アンプ３０７の前に配置したが、光スイッチ３０６の代わりに光カプラを用いてもよい。
【００５４】
ここで、本実施形態に係る伝送システム１００は、対向する伝送装置１０１との間で装置間の通信を確立する時に、伝送路１０２の伝送路損失を算出して受信アンプを選択する制御を行う。さらに、対向する伝送装置１０１との間で通信を確立後に、ユーザデータを含む光信号を送受信している時にも定期的にＰＭ値（ＰＭｔ）およびＰＭ値（ＰＭｒ）を計測して、受信アンプを選択する制御を自動的に行ってもよい。或いは、ユーザデータを含む光信号を送受信している時に自動的に受信アンプを選択する制御を行う動作モードと、自動制御を行わない動作モードとをユーザが選択できるようにしてもよい。
【００５５】
また、光スイッチ３０６および光スイッチ３０８を切り替える時に通信が一時的に切断されるという問題がある。そこで、対向する伝送装置１０１との間で通信を確立後、伝送装置１０１は、ＰＭ計測部３０４で受信する光信号を検出できない状態（信号断）になるまで受信アンプを切り替えないようにしてもよい。例えば、伝送路１０２での伝送路損失が閾値より大きい状態（長距離）で第１の受信アンプ３０７を使用中に、伝送路損失が閾値より小さい状態（短距離）に変化した場合でも、伝送装置１０１は、第１の受信アンプ３０７を継続して使用する。また、伝送路損失が閾値より小さい状態（短距離）から閾値より大きい状態（長距離）に変化した場合、装置制御ユニット２０５は、例えば、次の２つの場合に分けて光スイッチ３０６および光スイッチ３０８を制御する。装置制御ユニット２０５は、ＰＭ計測部３０４が受信する光信号を検出できる場合、第１の受信アンプ３０７への切り替えを行わず、ＰＭ計測部３０４が受信する光信号を検出できない場合（信号断）、第１の受信アンプ３０７への切り替えを行う。これにより、本実施形態に係る伝送システム１００は、信号断になる場合は迅速に受信アンプの切り替えを行って通信を回復し、信号が受信できている場合は敢えて受信アンプの切り替えを行わないようにする。
［装置間通信ユニット２０２］
図６は、装置間通信ユニット２０２の一例を示す図である。図６において、装置間通信ユニット２０２は、受信側の回路として、受信アンプ（PreAMP:Pre AMPlifier）５０１と、制御データ受信部５０２と、受信ＰＭ値保持部５０３とを有する。そして、装置間通信ユニット２０２は、装置間通信を制御するＯＳＣ（Optical Supervisory Channel）制御部５０４と、送信側の回路として、送信ＰＭ値保持部５０５と、制御データ送信部５０６と、送信アンプ（PostAMP:Post AMPlifier）５０７とを有する。
【００５６】
受信アンプ５０１は、伝送路１０２を介して受信する制御データを含む光信号を増幅する。尚、制御データを含む光信号は、ユーザデータを含む光信号の波長とは異なる予め決められた専用の波長の信号であり、受信アンプ５０１は、この専用の波長の信号に適したアンプが用いられる。
【００５７】
制御データ受信部５０２は、受信アンプ５０１が出力する光信号を復調して、制御データを抽出する。尚、本実施形態では、制御データ受信部５０２は、制御データとしてＰＭ値（ＰＭｔ）を抽出する。
【００５８】
受信ＰＭ値保持部５０３は、制御データ受信部５０２が抽出した対向する伝送装置１０１から受信したＰＭ値（ＰＭｔ）を一時的に記憶するメモリである。
【００５９】
ＯＳＣ制御部５０４は、本実施形態で用いるＰＭ値の送受信だけでなく、伝送装置１０１間でアラームなどの制御データを送受信し、装置間の監視や制御を行う。
【００６０】
送信ＰＭ値保持部５０５は、装置制御ユニット２０５が出力するＰＭ値（ＰＭｔ）を一時的に記憶するメモリである。
【００６１】
制御データ送信部５０６は、送信ＰＭ値保持部５０５に保持されたＰＭ値（ＰＭｔ）やＯＳＣ制御部５０４が出力するアラームなどの制御データを光信号に変調する。
【００６２】
送信アンプ５０７は、制御データ送信部５０６が出力する制御データを含む光信号を増幅してカプラ３０２を介して伝送路１０２に送信する。
【００６３】
ここで、装置間通信ユニット２０２の送信アンプ５０７および受信アンプ５０１は、伝送路１０２の距離や状態に依らず、同じアンプが用いられる。これは、ユーザデータを含む光信号は、複数の波長の光信号が波長分割多重された広帯域の信号であるのに対して、制御データを送受信する光信号は１波なので、伝送装置１０１は、同じアンプを用いて安定した通信を行うことができるからである。
［アンプ切り替え処理］
図７は、アンプ切り替え処理の一例を示す。尚、図７に示したフローチャートは、主に受信側の伝送装置１０１で行われる処理である。また、送信側の伝送装置１０１は、予め設定された時間間隔で、ＰＭ値（ＰＭｔ）を計測して、受信側の伝送装置１０１に定期的にＰＭ値（ＰＭｔ）を送信している。
【００６４】
ステップＳ１０１において、装置間通信ユニット２０２は、対向する伝送装置１０１との間で通信を確立する。
【００６５】
ステップＳ１０２において、装置制御ユニット２０５は、伝送路１０２の伝送路損失を算出する。尚、伝送路１０２の伝送路損失は、先に説明したように、送信側のＰＭ値（ＰＭｔ）と受信側のＰＭ値（ＰＭｒ）との差分により算出される。ここで、算出した伝送路損失は、履歴として装置制御ユニット２０５の内部のメモリなどに記憶される。
【００６６】
ステップＳ１０３において、装置制御ユニット２０５は、伝送路損失が予め設定された閾値未満であるか閾値以上であるかを判別する。そして、装置制御ユニット２０５は、伝送路損失が閾値未満の場合はステップＳ１０４の処理に進み、伝送路損失が閾値以上の場合はステップＳ１０５の処理に進む。
【００６７】
ステップＳ１０４において、装置制御ユニット２０５は、アンプユニット２０１を短距離用の受信アンプ（PreAMP）設定にする。ここで、短距離用の受信アンプ設定は、図３に示した光スイッチ３０６および光スイッチ３０８がａ側に切り替えられ、第１の受信アンプ３０７を使用しない状態である。
【００６８】
ステップＳ１０５において、装置制御ユニット２０５は、アンプユニット２０１を長距離用の受信アンプ（PreAMP）設定にする。ここで、長距離用の受信アンプ設定は、図３に示した光スイッチ３０６および光スイッチ３０８がｂ側に切り替えられ、第１の受信アンプ３０７を使用する状態である。
【００６９】
ステップＳ１０６において、装置制御ユニット２０５は、受信アンプの切り替えを常に自動的に実行する動作モードに設定されているか否かを判別する。そして、装置制御ユニット２０５は、自動的に実行する動作モードに設定されている場合はステップＳ１０７の処理に進み、自動的に実行する動作モードに設定されていない場合はステップＳ１１３の処理に進む。
【００７０】
ステップＳ１０７において、装置制御ユニット２０５は、伝送路１０２の伝送路損失を監視する。例えば、装置制御ユニット２０５は、ステップＳ１０２と同様に、送信側のＰＭ値（ＰＭｔ）と受信側のＰＭ値（ＰＭｒ）との差分を算出して、伝送路損失を監視する。
【００７１】
ステップＳ１０８において、装置制御ユニット２０５は、前回、計測された伝送路損失と、ステップＳ１０７で算出した最新の伝送路損失とを比較する。そして、装置制御ユニット２０５は、伝送路損失の差が予め設定された閾値未満の場合は変動無し、伝送路損失の差が予め設定された閾値以上の場合は変動有り、と判断する。装置制御ユニット２０５は、伝送路損失の変動が有った場合はステップＳ１０９の処理に進み、伝送路損失の変動が無かった場合はステップＳ１０７の処理に戻る。
【００７２】
ステップＳ１０９において、装置制御ユニット２０５は、アンプユニット２０１が短距離用の受信アンプ設定になっているか否かを判別する。そして、装置制御ユニット２０５は、アンプユニット２０１が短距離用の受信アンプ設定になっている場合はステップＳ１１０の処理に進み、アンプユニット２０１が短距離用の受信アンプ設定になっていない場合はステップＳ１１１の処理に進む。
【００７３】
ステップＳ１１０において、装置制御ユニット２０５は、伝送路損失が予め設定された閾値以上であるか否かを判別する。そして、装置制御ユニット２０５は、伝送路損失が閾値以上の場合はステップＳ１１２の処理に進み、伝送路損失が閾値未満の場合はステップＳ１０８の処理に戻る。
【００７４】
ステップＳ１１１において、装置制御ユニット２０５は、伝送路損失が予め設定された閾値未満であるか否かを判別する。そして、装置制御ユニット２０５は、伝送路損失が閾値未満の場合はステップＳ１１２の処理に進み、伝送路損失が閾値以上の場合はステップＳ１０８の処理に戻る。
【００７５】
ステップＳ１１２において、装置制御ユニット２０５は、アンプユニット２０１の受信アンプ設定を切り替える。例えば、装置制御ユニット２０５は、現在の設定が短距離用の受信アンプ設定の場合は長距離用の受信アンプ設定に切り替え、現在の設定が長距離用の受信アンプ設定の場合は短距離用の受信アンプ設定に切り替える。
【００７６】
ステップＳ１１３において、装置制御ユニット２０５は、ＰＭ計測部３０４により、伝送路１０２から受信する光信号の有無を検出し、光信号が検出できない状態（信号断）であるか否かを判別する。そして、装置制御ユニット２０５は、信号断である場合はステップＳ１０２の処理に戻り、信号断ではない場合はステップＳ１１３の処理で待機する。尚、装置制御ユニット２０５は、ステップＳ１１３の処理で待機中も伝送装置１０１全体の処理を行っており、信号断を検出した時にステップＳ１０２からステップＳ１０６までの処理を行う。
【００７７】
このようにして、本実施形態に係る伝送システム１００は、送信側の伝送装置１０１と受信側の伝送装置１０１とが装置間の通信を確立する時に、伝送路１０２の伝送路損失を計測し、アンプユニット２０１の受信アンプを設定する。また、装置制御ユニット２０５は、受信アンプの切り替えを常に自動的に実行する動作モードに設定されている場合、装置間の通信の確立後も常に伝送路損失を計測し、伝送路損失が変動した時に受信アンプの切り替えを行う。これにより、受信側の伝送装置１０１は、伝送路１０２の距離や状態に適した受信アンプを使用することができる。
［変形例１］
図７の例では、装置制御ユニット２０５は、受信アンプの切り替えを常に自動的に実行する動作モードに設定されている場合、ステップＳ１１１およびステップＳ１１２で長距離用の受信アンプ設定から短距離用の受信アンプ設定に切り替えていた。ところが、光スイッチ３０６および光スイッチ３０８を切り替える時に通信が一時的に切断されるので、ユーザは光信号の品質が少し劣化しても長距離用の受信アンプ設定で通信を継続することを望む場合がある。
【００７８】
そこで、本変形例１では、装置制御ユニット２０５は、伝送路損失が閾値未満であった場合でも、直ぐに長距離用の受信アンプ設定から短距離用の受信アンプ設定に切り替えを行わない。例えば、図７において、装置制御ユニット２０５は、ステップＳ１０８、ステップＳ１０９およびステップＳ１１１の処理を複数回実行する。そして、装置制御ユニット２０５は、各回の伝送路損失が閾値未満であった場合に、長距離用の受信アンプ設定から短距離用の受信アンプ設定に切り替える処理を行う。
【００７９】
図８は、アンプ切り替え処理の他の例を示す。尚、図８のフローチャートにおいて、図７と同符号のステップは、図７と同一又は同様の処理を行う。図７と図８の違いは、ステップＳ１１１とステップＳ１１２との間に、ステップＳ２０１が設けられていることである。
【００８０】
ステップＳ２０１において、装置制御ユニット２０５は、ステップＳ１０８、ステップＳ１０９およびステップＳ１１１の処理を２回連続して行ったか否かを判別する。そして、装置制御ユニット２０５は、２回連続して処理を行っていない場合はステップＳ１０８の処理に戻り、２回連続して処理を行った場合はステップＳ１１２の処理に進む。これにより、伝送路損失が変動し長距離用の受信アンプ設定から短距離用の受信アンプ設定に直ぐに切り替えることが無くなり、通信が頻繁に切断されることが無くなる。尚、ここでは、２回連続処理としたが、３回以上であってもよい。
【００８１】
このように、本変形例１では、装置制御ユニット２０５は、ステップＳ１０８、ステップＳ１０９およびステップＳ１１１の処理を複数回行った場合に、長距離用の受信アンプ設定から短距離用の受信アンプ設定に切り替える。これにより、伝送装置１０１は、一時的な伝送路１０２の伝送路損失の変動で受信アンプが切り替わることを防止できる。尚、ステップＳ２０１と同様の処理をステップＳ１１０とステップＳ１１２との間に設けてもよい。但し、長距離用の受信アンプ設定から短距離用の受信アンプ設定への切り替えは、通信品質は劣化しても信号断にはならないので、信号断が発生する受信アンプの切り替えは頻繁に行わないようにするのが望ましい。そこで、装置制御ユニット２０５は、例えば、長距離用の受信アンプ設定から短距離用の受信アンプ設定への切り替えを直ぐに行わないように制御し、短距離用の受信アンプ設定から長距離用の受信アンプ設定への切り替えを直ぐに行うように制御する。
【００８２】
また、長距離用の受信アンプ設定時に伝送路損失が閾値未満の状態に変動した場合、装置制御ユニット２０５は長距離用の受信アンプ設定を予め設定された時間だけ維持するようにしてもよい。そして、装置制御ユニット２０５は、予め設定された時間が経過した時に、長距離用の受信アンプ設定から短距離用の受信アンプ設定への切り替えを行い、この時間中に１回でも伝送路損失が閾値以上になった場合は、受信アンプの切り替えを行わない。これにより、伝送装置１０１は、一時的な伝送路１０２の伝送路損失の変動で受信アンプが切り替わることを防止できる。
【００８３】
以上、説明したように、本実施形態に係る伝送システム１００、伝送装置１０１、および受信レベル調整方法は、伝送装置１０１の設置場所に依らず、同じ伝送装置１０１で伝送路１０２の距離や状態に適した受信アンプを使用することができる。
【００８４】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００８５】
１００・・・伝送システム；１０１（ａ）,１０１（ｂ）・・・伝送装置；１０２・・・伝送路；２０１・・・アンプユニット；２０２・・・装置間通信ユニット；２０３・・・ＤＭＵＸ／ＭＵＸ；２０４・・・送受信部；２０５・・・装置制御ユニット；２０６・・・分散補償ファイバ；２１４（ａ），２１４（ｂ），２１４（ｃ）・・・送受信器；３０１・・・送信アンプ；３０２・・・カプラ；３０３・・・ＰＭ計測部；３０４・・・ＰＭ計測部；３０５・・・カプラ；３０６・・・光スイッチ；３０７・・・第１の受信アンプ；３０８・・・光スイッチ；３０９・・・第２の受信アンプ；４０１・・・ＰＭ値取得部；４０２・・・ＡＭＰ判別部；４０３・・・ＳＷ制御部；５０１・・・受信アンプ；５０２・・・制御データ受信部；５０３・・・受信ＰＭ値保持部；５０４・・・ＯＳＣ制御部；５０５・・・送信ＰＭ値保持部；５０６・・・制御データ送信部；５０７・・・送信アンプ
【図１】
0005942935.tif 000002
【図２】
0005942935.tif 000003
【図３】
0005942935.tif 000004
【図４】
0005942935.tif 000005
【図５】
0005942935.tif 000006
【図６】
0005942935.tif 000007
【図７】
0005942935.tif 000008
【図８】
0005942935.tif 000009